(57)【要約】      （修正有）【課題】ネットワークを介して他の装置との間でコンテンツの移動を行うコンテンツ記録再生装置であって、コンテンツの漏洩を防止し、かつ機器間でのコンテンツの移動を自動的に行う。【解決手段】コンテンツを蓄積するコンテンツソース部１０２と、自動移動に対応しているかどうかを示す情報を含む他の装置のデバイス情報を受信するデバイス情報受信部１０４と、前記コンテンツソース部で蓄積されるコンテンツを送信し、他の装置で蓄積されるコンテンツを受信するコンテンツ送受信部１０６とを備え、前記デバイス情報受信部１０４で受信されたデバイス情報に、自動移動に対応することを示す情報がある場合に、前記コンテンツソース部１０２で蓄積された所定のコンテンツを、所定のタイミングで、前記コンテンツ送受信部１０６で他の装置に送信するとともに、前記コンテンツソース部１０２で送信されたコンテンツを削除する。【選択図】図１
2011180626.tif 000002
【特許請求の範囲】
【請求項１】
ネットワークを介して他の装置との間でコンテンツの移動を行うコンテンツ記録再生装置であって、
コンテンツを蓄積するコンテンツソース部と、
自動移動に対応しているかどうかを示す情報を含む他の装置のデバイス情報を受信するデバイス情報受信部と
前記コンテンツソース部で蓄積されるコンテンツを送信し、他の装置で蓄積されるコンテンツを受信するコンテンツ送受信部とを備え、
前記デバイス情報受信部で受信されたデバイス情報に、自動移動に対応することを示す情報がある場合に、前記コンテンツソース部で蓄積された所定のコンテンツを、所定のタイミングで、前記コンテンツ送受信部で他の装置に送信するとともに、前記コンテンツソース部で送信されたコンテンツを削除することを特徴とするコンテンツ記録再生装置。
【請求項２】
前記コンテンツ送受信部は、ユーザの指示により、他の装置に送信され、蓄積されたコンテンツを受信することを特徴とする請求項１に記載のコンテンツ記録再生装置。
【請求項３】
前記自動移動に対応しているかどうかを示す情報は、他の装置が移動の受け側かつ被制御装置として対応し、かつ、他の装置が移動の出し側かつ被制御装置として対応しているかどうかを示す情報であることを特徴とする請求項1に記載のコンテンツ記録再生装置。
【請求項４】
前記所定のタイミングとは、前記コンテンツソース部での蓄積容量が一定以上少なくなったタイミングであることを特徴とする請求項１に記載のコンテンツ記録再生装置。
【請求項５】
前記所定のコンテンツとは、視聴済みのコンテンツ、過去に一定割合以上を視聴してからの期間が所定期間以上のコンテンツ、あるいは、ユーザの嗜好に合致しないコンテンツであることを特徴とする請求項１に記載のコンテンツ記録再生装置。
【請求項６】
前記ユーザの指示は、他の装置に送信され、蓄積されたコンテンツについて、コンテンツの内容と他の装置の名称を指定し行われることを特徴とする請求項２に記載のコンテンツ記録再生装置。
【発明の詳細な説明】
【技術分野】
【０００１】
本発明は、ネットワークを介して他の装置とコンテンツのMoveを行うコンテンツ記録再生装置に関する。
【背景技術】
【０００２】
近年デジタル放送対応テレビやレコーダでは、HDD(Hard Disk Drive)などに番組を録画し、宅内ネットワークに配信する機器が登場している。宅内ネットワークでは一般的にDLNA(Digital Living Network Alliance)のガイドラインに準拠したコンテンツ共有方式が用いられており、特にコンテンツの送受信においては著作権保護方式として通常DTCP-IP(Digital Transmission Content Protection over Internet Protocol)を用いている。また、DTCP-IPでは著作権保護に対応したコンテンツの移動方式が規定されており、コンテンツの移動はMoveと呼ばれる。なお、Moveは、コンテンツを送信すると送信元のコンテンツは同時に削除するものである。
【０００３】
Moveを用いると、著作権保護の関係上コピーが禁止されているコンテンツについても通常ネットワークを介して移動することができる。このため、例えばレコーダのHDDがいっぱいになった場合にNAS(Network Attached Storage)に録画番組を移動するなどといった利用が行われている。
【０００４】
Moveは機能として４つに分けることができる。機器Aと機器Bが存在し、AからBにコンテンツをMoveする場合、AはMoveの出し側、BはMoveの受け側となる。さらに、BからAにコンテンツをMoveする場合、BはMoveの出し側、AはMoveの受け側となる。これらの２パターンは、どちらが全体を制御するかでさらに２パターンずつに分けることができる。
【０００５】
すなわち、A及びBは、それぞれMoveの出し側であり制御元装置、Moveの受け側であり被制御装置、Moveの受け側であり制御元装置、Moveの出し側であり被制御装置のいずれかになりうる。このような機能を組み合わせると、例えば、機器Aから機器BにMoveし、再び機器Bから機器Aにコンテンツを戻すことが可能となる。
【０００６】
しかし、機器Bにコンテンツを移動した場合、機器Bは他の機器Cにコンテンツを移動する可能性がある。これを防止する手法として、コンテンツの出し側の機器の情報を受け側の機器が記録しておき、コンテンツを出した機器でのみコンテンツを受けられるようにした発明が開示されている。（特許文献１）
【先行技術文献】
【特許文献】
【０００７】
【特許文献１】特開２００７−３２３６１７号公報
【発明の概要】
【発明が解決しようとする課題】
【０００８】
しかしながら、上記特許文献１では、機器Bへのコンテンツの移動の許可や、他の機器Cへのコンテンツの移動の拒否をユーザの指示により行わなければならない。
【０００９】
ユーザにとっては、どの機器にMoveするかということよりも、Moveしたコンテンツを再び引き戻すことができればよく、余計な手間をかけずに機器間でのMoveを行えることが望ましい。
【課題を解決するための手段】
【００１０】
上記課題を解決するために、本発明は、ネットワークを介して他の装置との間でコンテンツの移動を行うコンテンツ記録再生装置であって、コンテンツを蓄積するコンテンツソース部と、自動移動に対応しているかどうかを示す情報を含む他の装置のデバイス情報を受信するデバイス情報受信部と、前記コンテンツソース部で蓄積されるコンテンツを送信し、他の装置で蓄積されるコンテンツを受信するコンテンツ送受信部とを備え、前記デバイス情報受信部で受信されたデバイス情報に、自動移動に対応することを示す情報がある場合に、前記コンテンツソース部で蓄積された所定のコンテンツを、所定のタイミングで、前記コンテンツ送受信部で他の装置に送信するとともに、前記コンテンツソース部で送信されたコンテンツを削除する。
【００１１】
また、前記コンテンツ送受信部は、ユーザの指示により、他の装置に送信され、蓄積されたコンテンツを受信する。
【００１２】
なお、前記自動移動に対応しているかどうかを示す情報は、他の装置が移動の受け側かつ被制御装置として対応し、かつ、他の装置が移動の出し側かつ被制御装置として対応しているかどうかを示す情報である。
【００１３】
なお、前記所定のタイミングとは、前記コンテンツソース部での蓄積容量が一定以上少なくなったタイミングである。
【００１４】
なお、前記所定のコンテンツとは、視聴済みのコンテンツ、過去に一定割合以上を視聴してからの期間が所定期間以上のコンテンツ、あるいは、ユーザの嗜好に合致しないコンテンツである。
【００１５】
なお、前記ユーザの指示は、他の装置に送信され、蓄積されたコンテンツについて、コンテンツの内容と他の装置の名称を指定し行われる。
【発明の効果】
【００１６】
本発明のコンテンツ記録再生装置によれば、ユーザの指示がなくても、自動でMove可能な移動先を自動的に認識し、状況に応じて自動的にコンテンツを移動することができる。
【図面の簡単な説明】
【００１７】
【図１】本発明の全体構成図である。
【図２】コンテンツ記録再生装置の基本フローである。
【図３】コンテンツ記録再生装置が提供するデバイス情報の例である。
【図４】コンテンツ記録再生装置が提供するコンテンツ移動情報の例である。
【図５】コンテンツ記録再生装置の自動Moveを用いた画面例である。
【図６】コンテンツ記録再生装置がコンテンツを引き戻す場合の画面例である。
【発明を実施するための形態】
【００１８】
自動移動先を自動的に認識する機能を設け、クライアント装置で受信した文字等の情報を再生する機能を設け、内蔵記録デバイスの利便性を保ちつつ、サーバ装置など外部記録装置により記録容量を増やす目的を、最小のユーザ操作で実現した。
【実施例１】
【００１９】
以下、図面を参照して本発明の実施例を説明する。
【００２０】
図１は、コンテンツ記録再生装置101およびネットワーク111およびサーバ装置112を有する本発明の全体構成図である。101のコンテンツソース部102はコンテンツを蓄積する機能や、コンテンツを出力する機能を備える。102に含まれる機能としては、例えばHDDなどの記録機能や、チューナ機能などがある。102のコンテンツを再生する場合は、コンテンツ再生部103で再生する。104はデバイス情報送受信部であり、他のデバイス112のデバイス情報の受信機能や、101のデバイス情報の送信機能を有する。105はコンテンツ情報の送受信部であり、102が出力可能なコンテンツの情報を送信する機能や、他のデバイスが送信可能なコンテンツの情報を受信する機能を有する。また、105がネットワーク経由で取得したコンテンツ情報は103においてコンテンツ再生に用いてもよい。106はコンテンツの送受信部であり、102のコンテンツをネットワークインタフェース107および111を介して他の装置112に送信する機能や、他の装置112からコンテンツを受信する機能を有する。また、106が受信したコンテンツは、コンテンツソース部102で保存しても良い。
【００２１】
図２は、本発明のコンテンツ記録再生装置と接続先のサーバ装置との動作シーケンスである。処理を開始すると、コンテンツ記録再生装置はデバイス情報の要求を送信する(201)。サーバ装置はデバイス情報の要求を受信すると(211)、自デバイスのデバイス情報を送信する(212)。デバイス情報の一例を図３で示す。301はデバイス名である。302はデバイスIDであり、デバイスのユニークなIDなどが記述される。303はデバイスのネットワークアドレスを示す。304は、コンテンツの情報を取得するためのURI(Uniform Resource Identifier)である。305は、どのようなMove機能に対応しているかを示している。本例では、Moveの受け側かつ被制御装置を示すUploadと、Moveの出し側かつ被制御装置を示すDownloadの両方に対応していることを示している。コンテンツ記録再生装置はデバイス情報を受信すると(202)、受信したデバイス情報に含まれるMove機能への対応により、自動Moveに対応しているかどうかを判定する(203)。判定方法の一例としては、Moveの受け側かつ被制御装置に対応していること及び、Moveの出し側かつ被制御装置に対応していることの２つが満たされている場合に、自動Moveに対応している判定し、それ以外の場合は対応していないと判定する。非対応である場合は、本処理は終了する。なお、本判定結果はコンテンツ記録再生装置に記録し、サーバ装置が自動Moveに対応しているかどうかの情報として利用しても良い。自動Moveに対応している場合は、コンテンツの移動情報を送信する(204)。コンテンツの移動情報の例を図４に示す。401はコンテンツの保存先IDである。本IDは指定しなくても良く、その場合はサーバ装置が指定した場所にコンテンツを保存する。402はコンテンツ名であり、403はコンテンツ長である。サーバ装置はコンテンツ移動情報を受信すると(214)、コンテンツの移動情報応答を送信する(215)。コンテンツの移動情報応答には、コンテンツの移動をサーバが許可するかどうかといった情報や、コンテンツの移動に用いるURIなどの情報が含まれる。コンテンツ記録再生装置がコンテンツ移動情報応答を受信すると(205)、コンテンツ記録再生装置はコンテンツを送信する(206)。サーバ装置はコンテンツを受信し(216)、コンテンツが終端まで到達したことなどを検出するとコンテンツ移動の終了処理に関する要求を送信する(217)。コンテンツ移動の終了処理とは、コンテンツ移動において、送信側のコンテンツを無効化し、受信側のコンテンツを有効化する手続きである。コンテンツ記録再生装置は、コンテンツ移動終了要求を受信すると(207)、コンテンツ記録再生装置が保持する移動済みのコンテンツを削除し、コンテンツ移動終了応答を送信する(208)。サーバ装置はコンテンツ移動終了応答を受信し(218)、移動されたコンテンツを有効化する。以上で処理は終了する。なお、処理201・202・211・212はUPnP(Universal Plug and Play)のデバイス情報を取得する処理と同じでも良いが、デバイス情報にMoveに関する情報が含まれる。また、処理204〜208および214〜218はDTCP-IPで規定されるMoveに関する処理と同じでも良い。いずれの処理も次の処理に移行せずに終了しても良く、どこから再開しても良い。
【００２２】
このように自動Moveに対応した機器が検出された場合、本発明のコンテンツ記録再生装置は、コンテンツを自動的にMoveする。自動Moveするタイミングとしては、内蔵HDDの容量が一定以上少なくなったときや定期的なコンテンツに対する判定時である。Moveするコンテンツの選出は、視聴済みのものや、最後に視聴してからの期間が長いものや、過去にコンテンツの一定割合以上を視聴してからの期間が長いもの、ユーザの嗜好情報に合致しないものや他のコンテンツと比較して相対的に嗜好情報に合致しないもの、連続ドラマなどのシリーズコンテンツにおいて、例えば第１回から第１０回まで録画済みであり、第３回までが視聴済みである場合に、次に視聴する可能性が高い第４回を除く他の回すべて、などである。このようなコンテンツを例えば他のNASなどに自動的に移動する。
【００２３】
図５は本発明のコンテンツ記録再生装置の画面例である。501から505はそれぞれ異なる録画したコンテンツである。各コンテンツに対し、コンテンツがどこに保存されているかを511から515で示している。511および513は内蔵HDDに保存されていることを示している。512および514はNAS1に、515はNAS2に保存されていることを示している。本例において、504が選択されているときにコンテンツの引き戻しボタンもしくは引き戻し機能を呼び出した場合の画面例を図６に示す。601は選択されているコンテンツであり、602はコンテンツの引き戻しについて説明する表示である。ユーザが603を選択すると、コンテンツを内蔵HDDにMoveする。ユーザが604を選択した場合は何も行わない。
【００２４】
このようにユーザインタフェースからユーザが明示的にコンテンツを引き戻してもよいが、例えば、ネットワーク経由で視聴する場合、ネットワーク経由での視聴とMoveとを同時に行ってもよい。もしくは、Move中のコンテンツをコンテンツ移動終了処理において有効化する前に、再生してもよい。前者の場合、ネットワーク経由での視聴とMoveの計２本のストリームが流れることになるが、後者の場合、Moveのストリーム１本のみが流れることになる。また、ユーザがネットワーク経由での視聴を一時停止操作により中断した場合、や停止操作により中止した場合、ネットワーク経由での視聴は停止するが、Moveは継続してもよい。このようにすることで、ユーザが視聴を再開する場合には、内蔵HDDから再生することができる。また、ネットワーク経由での視聴と同時にMoveを行うことで、同じコンテンツをもう一度再生する場合には内蔵HDDから再生することができる。
【００２５】
また、本発明のコンテンツ記録再生装置が、Moveの受け側かつ被制御装置に対応している場合、他の装置にコンテンツを引き戻す方向でMoveされる可能性がある。この場合、コンテンツ記録再生装置はMoveによりコンテンツを出したいが、他の装置がコンテンツを戻してくるため、コンテンツが行き来を繰り返す可能性がある。このため、コンテンツをMoveした装置から再び同じコンテンツをMoveされた場合、再度同じ装置にMoveせずに異なる装置にMoveしてもよい。
【００２６】
以上のような構成により、ユーザの指示がなくても、自動Moveに対応するサーバを自動的に認識し、状況に応じて自動的にコンテンツを移動することができる。
【符号の説明】
【００２７】
１０１  コンテンツ記録再生装置
１０２  コンテンツソース部
１０３  コンテンツ再生部
１０４  デバイス情報送受信部
１０５  コンテンツ情報送受信部
１０６  コンテンツ送受信部
１０７  ネットワークインタフェース
１１１  ネットワーク
１１２  サーバ装置
【図１】
2011180626.tif 000003
【図２】
2011180626.tif 000004
【図３】
2011180626.tif 000005
【図４】
2011180626.tif 000006
【図５】
2011180626.tif 000007
【図６】
2011180626.tif 000008